(57)【特許請求の範囲】
【請求項１】
設置面上の水を吸い取る吸水装置を取り付けるための吸水装置取付部を含むウォーターフェンス本体部と、
平面視において前記ウォーターフェンス本体部と重なる位置の設置面の上方近傍に配置され、前記吸水装置取付部に接続された第１吸水口部と、
平面視において前記ウォーターフェンス本体部の背面外側の設置面の上方近傍に配置され、前記吸水装置取付部に接続された第２吸水口部とを備える、ウォーターフェンス。
【請求項２】
前記第１吸水口部および前記第２吸水口部は、共通の前記吸水装置取付部に接続されている、請求項１に記載のウォーターフェンス。
【請求項３】
前記第２吸水口部および前記吸水装置取付部の間には、開閉弁が設けられている、請求項２に記載のウォーターフェンス。
【請求項４】
前記第２吸水口部には、フィルタが設けられている、請求項１〜３のいずれか１項に記載のウォーターフェンス。
【請求項５】
前記第２吸水口部は、前記ウォーターフェンス本体部に対して着脱可能に構成されている、請求項１〜４のいずれか１項に記載のウォーターフェンス。
【請求項６】
前記ウォーターフェンス本体部を覆うシートをさらに備え、
前記第２吸水口部は、前記シートと設置面との間の水を吸い取るように構成されている、請求項１〜５のいずれか１項に記載のウォーターフェンス。
【請求項７】
前記ウォーターフェンス本体部の底面に配置され、前記ウォーターフェンス本体部の設置面への設置性を向上させる設置力増強部材をさらに備え、
前記第２吸水口部は、前記設置力増強部材に囲まれた領域の外に配置されている、請求項１〜６のいずれか１項に記載のウォーターフェンス。
【請求項８】
前記設置力増強部材は、設置面側に配置された第１設置力増強部材と、前記第１設置力増強部材より硬い材料により形成され、前記ウォーターフェンス本体部側に配置された第２設置力増強部材とが積層状に構成されている、請求項７に記載のウォーターフェンス。
【請求項９】
前記設置力増強部材は、前記ウォーターフェンス本体部の前面側に配置される前面側部材と、前記ウォーターフェンス本体部の背面側に配置され、前記前面側部材よりも吸水率が大きい背面側部材とを含む、請求項７または８に記載のウォーターフェンス。
【発明の詳細な説明】
【技術分野】
【０００１】
この発明は、ウォーターフェンスに関し、特に、浸水を防止するためのウォーターフェンスに関する。
【背景技術】
【０００２】
従来、浸水を防止するための水嚢（ウォーターフェンス）が知られている（たとえば、特許文献１参照）。
【０００３】
上記特許文献１には、洪水などによって大量の水が流れ出た場合、袋体に水を注水して、流出した水による浸水を防ぐ堰として機能させるための水嚢（ウォーターフェンス）が開示されている。この特許文献１の水嚢は、流出した水によって水嚢が流されないように積載性や、設置性を向上させる為に水嚢の底面に吸盤が複数設けられている。
【先行技術文献】
【特許文献】
【０００４】
【特許文献１】特開２００５−１６３５１４号公報
【発明の概要】
【発明が解決しようとする課題】
【０００５】
しかしながら、上記特許文献１では、水嚢（ウォーターフェンス）の設置性を向上させることができるものの、水嚢の背面に水が回り込んだ場合に、背面の水を排水することが困難であるという不都合がある。このため、浸水を抑制しつつ、背面に回り込んだ水を排出することが困難であるという問題点がある。
【０００６】
この発明は、上記のような課題を解決するためになされたものであり、この発明の１つの目的は、浸水を効果的に抑制しつつ、背面に回り込んだ水を容易に排出することが可能なウォーターフェンスを提供することである。
【課題を解決するための手段】
【０００７】
この発明の一の局面によるウォーターフェンスは、設置面上の水を吸い取る吸水装置を取り付けるための吸水装置取付部を含むウォーターフェンス本体部と、平面視においてウォーターフェンス本体部と重なる位置の設置面の上方近傍に配置され、吸水装置取付部に接続された第１吸水口部と、平面視においてウォーターフェンス本体部の背面外側の設置面の上方近傍に配置され、吸水装置取付部に接続された第２吸水口部とを備える。
【０００８】
この発明の一の局面によるウォーターフェンスでは、上記のように、平面視においてウォーターフェンス本体部の背面外側の設置面近傍に配置され、吸水装置取付部に接続された第２吸水口部を設ける。これにより、ウォーターフェンス本体部の背面に回り込んだ水を第２吸水口部から吸い取って排水することができるので、背面に回り込んだ水を容易に排出することができる。また、第１吸水口部からウォーターフェンス本体部の底面と設置面との間の水を吸い取ることができるので、ウォーターフェンス本体部の底面と設置面との間に負圧を発生させることができる。これにより、ウォーターフェンス本体部の設置性を向上させることができるので、浸水を効果的に抑制することができる。これらの結果、浸水を効果的に抑制しつつ、背面に回り込んだ水を容易に排出することができる。
【０００９】
上記一の局面によるウォーターフェンスにおいて、好ましくは、第１吸水口部および第２吸水口部は、共通の吸水装置取付部に接続されている。このように構成すれば、ウォーターフェンス本体部の背面側に回り込んだ水を吸い取る吸水装置と、ウォーターフェンス本体部の底面と設置面との間の水を吸い取る吸水装置とを、共通の吸水装置にすることができるので、１つの吸水装置のみで、ウォーターフェンス本体部の背面側に回り込んだ水と、ウォーターフェンス本体部の底面および設置面の間の水との両方を吸い取ることができる。
【００１０】
この場合、好ましくは、第２吸水口部および吸水装置取付部の間には、開閉弁が設けられている。このように構成すれば、ウォーターフェンス本体部の背面に水が回り込んでいない場合に、第２吸水口部からの吸込みを止めることができるので、第２吸水口部から空気を吸い込むことを防止することができる。また、第２吸水口部からの吸込みを止める分、第１吸水口部からの吸引力を大きくすることができるので、第１吸水口部から効率よく水を吸い取ることができる。
【００１１】
上記一の局面によるウォーターフェンスにおいて、好ましくは、第２吸水口部には、フィルタが設けられている。このように構成すれば、第２吸水口部から異物が吸い込まれるのを抑制することができる。
【００１２】
上記一の局面によるウォーターフェンスにおいて、好ましくは、第２吸水口部は、ウォーターフェンス本体部に対して着脱可能に構成されている。このように構成すれば、ウォーターフェンス本体部の背面に水が回り込んできた場合に、第２吸水口部を取り付けて効率よく排水することができる。
【００１３】
上記一の局面によるウォーターフェンスにおいて、好ましくは、ウォーターフェンス本体部を覆うシートをさらに備え、第２吸水口部は、シートと設置面との間の水を吸い取るように構成されている。このように構成すれば、ウォーターフェンス本体部の背面に回り込む水をシートによりせき止めながら、背面に回り込んでシートの下から侵入した水を第２吸水口部から吸い取ることができるので、浸水をより効果的に抑制することができる。
【００１４】
上記一の局面によるウォーターフェンスにおいて、好ましくは、ウォーターフェンス本体部の底面に配置され、ウォーターフェンス本体部の設置面への設置性を向上させる設置力増強部材をさらに備え、第２吸水口部は、設置力増強部材に囲まれた領域の外に配置されている。このように構成すれば、設置力増強部材により、凹凸のある設置面に対しての設置性や水密性を向上させることができるので、安定してウォーターフェンスを設置することができる。その結果、ウォーターフェンス本体部の下方からの浸水を効果的に抑制することができる。また、設置力増強部材の背面に水が回り込んだ場合でも、第２吸水口部から吸い取って容易に排水することができる。
【００１５】
この場合、好ましくは、設置力増強部材は、設置面側に配置された第１設置力増強部材と、第１設置力増強部材より硬い材料により形成され、ウォーターフェンス本体部側に配置された第２設置力増強部材とが積層状に構成されている。このように構成すれば、第１設置力増強部材を、点字ブロックなどの設置面の凹凸に沿うように変形させることができるので、ウォーターフェンスの設置性および水密性をより向上させることができる。また、第１設置力増強部材より硬い第２設置力増強部材を設けることにより、点字ブロックなどの設置面の凸部がウォーターフェンス本体部に直接当たることに起因してウォーターフェンスが傾いて設置されるのを抑制することができる。これにより、第１吸水口部および第２吸水口部が吸水面から離脱して空気中に配置されるのを抑制することができるので、吸水装置が空運転するのを効果的に抑制することができる。
【００１６】
上記設置力増強部材を備える構成において、好ましくは、設置力増強部材は、ウォーターフェンス本体部の前面側に配置される前面側部材と、ウォーターフェンス本体部の背面側に配置され、前面側部材よりも吸水率が大きい背面側部材とを含む。このように構成すれば、背面側部材がウォータフェンス本体部の背面側に回り込んだ水を吸水するので、ウォーターフェンス本体部の背面に回り込んだ水を効率よく取り除くことができる。
【発明の効果】
【００１７】
本発明によれば、上記のように、浸水を効果的に抑制しつつ、背面に回り込んだ水を容易に排出することができる。
【図面の簡単な説明】
【００１８】
【図１】本発明の第１実施形態によるウォーターフェンスを上方から見た斜視図である。
【図２】本発明の第１実施形態によるウォーターフェンスを下方から見た斜視図である。
【図３】本発明の第１実施形態によるウォーターフェンス本体部を下方から見た斜視図である。
【図４】本発明の第１実施形態によるウォーターフェンスの分解斜視図である。
【図５】本発明の第１実施形態によるウォーターフェンスの第１本体部を下方から見た斜視図である。
【図６】本発明の第１実施形態によるウォーターフェンスの第２本体部を下方から見た斜視図である。
【図７】本発明の第１実施形態によるウォーターフェンスを設置した場合の平面図である。
【図８】本発明の第１実施形態によるウォーターフェンスの第１本体部の断面図である。
【図９】本発明の第１実施形態によるウォーターフェンスの第１吸水口部を下方から見た図である。
【図１０】本発明の第１実施形態によるウォーターフェンスの設置力増強部材の特性を示した表である。
【図１１】本発明の第１実施形態によるウォーターフェンスの第１設置力増強部材の水透過の特性を示した表である。
【図１２】本発明の第１実施形態によるウォーターフェンスにシートを設置した使用例を示した斜視図である。
【図１３】図１２の１１０−１１０線に沿った断面図である。
【図１４】本発明の第２実施形態によるウォーターフェンスの断面図である。
【図１５】本発明の第２実施形態によるウォーターフェンスの第２吸水口部を取り外した状態の断面図である。
【図１６】本発明の第３実施形態によるウォーターフェンスを下方から見た図である。
【図１７】本発明の第３実施形態によるウォーターフェンスの第１設置力増強部材の特性を示した表である。
【図１８】本発明の第１〜第３実施形態の変形例（第１変形例）によるウォーターフェンスの断面図である。
【図１９】本発明の第１〜第３実施形態の変形例（第２変形例）によるウォーターフェンスを示した正面図である。
【図２０】本発明の第１〜第３実施形態の変形例（第３変形例）によるウォーターフェンスを示した正面図である。
【発明を実施するための形態】
【００１９】
以下、本発明の実施形態を図面に基づいて説明する。
【００２０】
［第１実施形態］
（ウォーターフェンスの構成）
図１〜図１３を参照して、本発明の第１実施形態について説明する。第１実施形態によるウォーターフェンス１００は、建物への浸水を防いだり、工事現場などにおいて水を長時間せき止めたり、流れを有する河川などをせき止めたりするために用いられる。ウォーターフェンス１００は、図１および図２に示すように、ウォーターフェンス本体部１と、設置力増強部材２とを備えている。また、ウォーターフェンス本体部１には、自吸機能を有した自吸ポンプ（以下「ポンプ」と称す）３が接続されている。また、ポンプ３は、急な増水に対しても信頼性の高い水没使用が可能な防水構造を有するポンプとすることが望ましい。また、ウォーターフェンス本体部１には、重りとしてペットボトル４が配置されている。また、図３に示すように、ウォーターフェンス１００は、第１吸水口部５と、第２吸水口部６とを備えている。なお、ポンプ３は、特許請求の範囲の「吸水装置」の一例である。
【００２１】
ウォーターフェンス本体部１は、第１本体部１１と、第２本体部１２と、連結部材１３とを含んでいる。第１本体部１１は、吸水装置取付部１１１と、溝部１１２（図３参照）と、連結用係合部１１３（図４参照）と、嵌合部１１４（図５参照）とを有している。第２本体部１２は、重り収容部１２１（図１参照）と、溝部１２２（図３参照）と、連結用係合部１２３（図４参照）と、嵌合部１２４（図６参照）とを有している。
【００２２】
設置力増強部材２は、図２および図４に示すように、第１設置力増強部材２１と、第２設置力増強部材２２とを含んでいる。
【００２３】
ウォーターフェンス本体部１は、浸水を防止するための堰を形成している。具体的には、ウォーターフェンス本体部１は、図１に示すように、第１本体部１１のＸ方向の両端に、それぞれ、第２部材１２が連結されている。つまり、ウォーターフェンス本体部１は、複数に分割可能に構成されている。第１本体部１１と第２部材１２とは、ゴム製の連結部材１３により互いに連結されている。詳しくは、図４に示すように、第１本体部１１の連結用係合部１１３と、第２部材１２の連結用係合部１２３とが隣接して配置された状態で、連結部材１３が、連結用係合部１１３および連結用係合部１２３の両方に係合している。連結部材１３は、第１本体部１１および第２部材１２の側面（Ｙ１方向側およびＹ２方向側の側面）と、上面（Ｚ１方向側の面）とに跨って係合するように構成されている。
【００２４】
第１本体部１１は、水を透過させない素材により形成されている。第１本体部１１は、たとえば、ゴムや樹脂或いは金属などにより形成されている。第１本体部１１の吸水装置取付部１１１には、図１に示すように、ポンプ３が連結されるように構成されている。吸水装置取付部１１１は、ウォーターフェンス本体部１の底面１ａ側（Ｚ２方向側）に設けられた第１吸水口部５および第２吸水口部６（図３参照）と連通（接続）している。つまり、ウォーターフェンス本体部１の底面１ａと設置面との間の水が、ポンプ３により第１吸水口部５および吸水装置取付部１１１を介して吸水される。また、ウォーターフェンス本体部１の背面側（Ｙ１方向側）に侵入した水が、ポンプ３により第２吸水口部６および吸水装置取付部１１１を介して吸水される。また、吸水装置取付部１１１に、異物除去用のフィルタを設けてもよい。これにより、ポンプ３によって吸い込み、排出される水からゴミなどの異物を除去することができるので、緊急時の水として活用することも可能である。なお、フィルタは吸込みから排出までの間に設けられれば良いので、ポンプ３の吸水用ホースなどに設けてもよい。
【００２５】
図３に示すように、第１本体部１１の下面側（Ｚ２方向側）には、溝部１１２が設けられている。溝部１１２には、設置力増強部材２が嵌り込むように配置される。また、溝部１１２は、第１吸水口部５をＹ方向に挟み込むように、１対設けられている。また、溝部１１２は、第１本体部１１に連結される第２本体部１２の溝部１２２とつながるように形成されている。
【００２６】
図５に示すように、第１本体部１１の底面部（Ｚ２方向側部）には、第２本体部１２側に凸状に突出する嵌合部１１４が設けられている。嵌合部１１４は、第２本体部１２の嵌合部１２４に嵌合するように構成されている。また、嵌合部１１４は、平面視において（Ｚ方向から見て）、第２本体部１２とオーバーラップするように配置されている。つまり、嵌合部１１４は、第１本体部１１および第２本体部１２を底面を上にして組立てた場合に、第２本体部１２に覆いかぶさるように、嵌合部１２４に嵌合する。
【００２７】
図１に示すように、第２本体部１２は、箱型形状を有している。また、第２本体部１２は、Ｘ方向に延びるように形成されている。また、第２本体部１２は、水を透過させない素材により形成されている。第２本体部１２は、たとえば、発砲スチロールやゴムや樹脂或いは金属などにより形成されている。第２本体部１２の重り収容部１２１には、重りとしてのペットボトル４が収容されるように構成されている。第２本体部１２の重り収容部１２１にペットボトル４が収容されることによりウォーターフェンス１００に加わる荷重を増すことが可能なように構成されている。なお、重り収容部１２１に、水、石、砂、土などを収容して重りとしてもよい。
【００２８】
図３に示すように、第２本体部１２の下面側（Ｚ２方向側）には、溝部１２２が設けられている。溝部１２２には、設置力増強部材２が嵌り込むように配置される。また、溝部１２２は、Ｕ字形状に形成されている。また、溝部１２２は、第２本体部１２に連結される第１本体部１１の溝部１１２とつながるように形成されている。つまり、第１本体部１１の溝部１１２と、第２本体部１２の溝部１２２とが連結されて、長方形のロ字形状の溝部が形成される。
【００２９】
図６に示すように、第２本体部１２の底面部（Ｚ２方向側部）には、第１本体部１１の嵌合部１１４が嵌合する嵌合部１２４が設けられている。具体的には、嵌合部１２４は、凹状に形成されており、凸状の嵌合部１１４が嵌合するように構成されている。嵌合部１１４および嵌合部１２４が嵌合することにより、第１本体部１１および第２本体部１２を組み立てる際に、第１本体部１１および第２本体部１２がＹ方向およびＺ方向にずれることを抑制することができるとともに、第１本体部１１と第２本体部１２との向きを間違えることなく位置決めが容易となるので、組み立て作業を容易に行うことが可能である。また、ウォーターフェンス１００の設置時にＹ方向に力が加わった場合に、第２本体部１２が第１本体部１１に対して折れ曲がるのを抑制することが可能である。
【００３０】
図７および図８に示すように、ウォーターフェンス本体部１の背面側（Ｙ１方向側）には、回り込み抑制部材１４が設けられている。回り込み抑制部材１４は、水を通しにくい材料により形成されている。また、回り込み抑制部材１４は、柱１０に当接している。また、回り込み抑制部材１４は、図８に示すように、Ｘ方向から見て、Ｌ字形状を有している。また、回り込み抑制部材１４の前面側（Ｙ２方向側）は、設置力増強部材２の背面側（Ｙ１方向側）に当接している。また、回り込み抑制部材１４は、弾性力を有し、圧縮可能な材料により形成されている。つまり、ウォーターフェンス本体部１の背面を、回り込み抑制部材１４を介して、柱１０に当接させることにより、ウォーターフェンス本体部１の背面側に水が回り込んで侵入するのを抑制することが可能である。つまり、ウォーターフェンス本体部１が、前面側（Ｙ２方向側）からの水の圧力により、背面側（Ｙ１方向側）に押し付けられることにより、回り込み抑制部材１４が柱１０に密着する。これにより、ウォーターフェンス本体部１と柱１０との間から水が侵入するのを効果的に抑制することが可能である。
【００３１】
図２に示すように、設置力増強部材２は、ウォーターフェンス本体部１の底面１ａに配置され、ウォーターフェンス本体部１の設置面への設置性を向上させるように構成されている。つまり、ウォーターフェンス本体部１の設置時の自重と、ポンプ３が吸水することとによって、設置力増強部材２は、弾性圧縮変形するとともに、外部の水を所定量透過させることにより、ウォーターフェンス本体部１の設置面内の圧力を低圧安定させるように構成されている。また、設置力増強部材２と同様に、回り込み抑制部材１４も、ウォーターフェンス本体部１の設置時の自重と、ポンプ３が吸水することとによって、弾性圧縮変形する。これにより、設置力増強部材２のみが圧縮され、回り込み抑制部材１４が圧縮されないことに起因してウォーターフェンス本体部１が傾くことがない。
【００３２】
具体的には、設置力増強部材２は、ウォーターフェンス本体部１の自重と、ポンプ３が吸水することにより生じる負圧とにより、水の透過率が所定の値となることにより、ウォーターフェンス本体部１の底面１ａと設置面との間に外部からの水を所定量透過させてポンプ３の自吸水を確保するように構成されている。
【００３３】
設置力増強部材２は、第１設置力増強部材２１と、第２設置力増強部材２２とが積層されている。第１設置力増強部材２１は、設置面側（Ｚ２方向側）に配置されている。第２設置力増強部材２２は、ウォーターフェンス本体部１側（Ｚ１方向側）に配置されている。第１設置力増強部材２１および第２設置力増強部材２２は、接着層（接着剤や接着テープなど）を介して貼り合わされている。
【００３４】
第１設置力増強部材２１は、たとえば、半連続気泡構造の気孔率５０％〜６０％程度のやわらかいスポンジ材により形成されている。また、第１設置力増強部材２１は、圧縮変形されることにより水の透過率が変化するように構成されている。つまり、第１設置力増強部材２１は、半連続気泡構造のスポンジが圧縮されることによりスポンジの孔が小さくなり、水の透過率が変わるように構成されている。また、第１設置力増強部材２１は、圧縮力がかからない状態において、たとえば、約２０ｍｍ以上約３０ｍｍ以下の高さを有する。ポンプ３が駆動された場合、半連続気泡構造のスポンジは、５０〜８０％程度圧縮されることが望ましい。また、第１設置力増強部材２１は、第１部材１１よりも柔らかい材料により形成されている。
【００３５】
第１設置力増強部材２１は、ウォーターフェンス本体部１の自重と、重り収容部１２１に取り付けられたペットボトル４の重さと、ポンプ３の吸引力によって生じる負圧とにより圧縮されるように構成されている。また、ポンプ３は設置力増強部材２を透過した水を、設置力増強部材２に囲まれた設置面内側の空間の空気と共に吸引するように構成されている。つまり、第１設置力増強部材２１により吸水された水が第１部材１１の第１吸水口部５を介してポンプ３に吸引されるように構成されている。なお、ポンプ３は、空気とともに水を吸い込むので、ポンプ３の吐出口から水を吐き出す状態と、ポンプ３の吐出口から少しの水を空気とともに吐き出す状態とを数秒程度の周期で繰り返す間欠運転となる。
【００３６】
また、ポンプ３により、第１設置力増強部材２１を透過した水を、設置力増強部材２に囲まれた設置面内側の空間の空気と共に吸引することにより、ウォーターフェンス本体部１と設置面との間の空間の真空度が上げられる。これにより、設置面に対してウォーターフェンス本体部１を安定させて配置することが可能に構成されている。その結果、ウォーターフェンス本体部１が水により押されて変形したり、流されたりすることを効果的に抑制することが可能である。
【００３７】
第２設置力増強部材２２は、第１設置力増強部材２１よりも硬い材料により形成されている。第２設置力増強部材２２は、たとえば、硬質のスポンジ材やゴム材により形成されている。第２設置力増強部材２２は、ウォーターフェンス本体部１の自重やポンプ３の吸引力による負圧によって圧縮されない程度の硬さを有する。また、第２設置力増強部材２２は、ウォーターフェンス本体部１の底面１ａの溝部１１２および１２２の幅より若干大きい幅を有するように形成されている。つまり、第２設置力増強部材２２は、溝部１１２および１２２に圧入されることによりウォーターフェンス本体部１の底面１ａに取り付けられるように構成されている。これにより、設置力増強部材２が経年劣化などにより交換が必要となった場合でも容易に取替えることが可能である。
【００３８】
ポンプ３は、ウォーターフェンス本体部１の設置面上の水を吸い取るように構成されている。具体的には、ポンプ３は、ウォーターフェンス本体部１の底面１ａと設置面との間の水を吸い取るように構成されている。また、ポンプ３は、ウォーターフェンス本体部１の背面側（Ｙ１方向側）に回り込んだ設置面上の水を吸い取るように構成されている。また、ポンプ３は、水深が浅い水を吸水可能に構成されている。これにより、ポンプ３は、設置面とウォーターフェンス本体部１の底面１ａとの間に浸水した少量の水を効果的に排水することが可能である。
【００３９】
第１吸水口部５（図３参照）は、ウォーターフェンス本体部１の底面１ａと設置面との間の水を吸い取るように構成されている。具体的には、第１吸水口部５は、平面視において（Ｚ方向から見て）、ウォーターフェンス本体部１と重なる位置の設置面近傍に配置されている。詳細には、第１吸水口部５は、設置力増強部材２に囲まれた領域内に配置されている。また、第１吸水口部５は、吸水装置取付部１１１に接続されている。また、図８に示すように、第１吸水口部５は、第１設置力増強部材２１と、第２設置力増強部材２２との境界近傍の高さ位置に配置されている。
【００４０】
また、第１吸水口部５は、スリットが設けられている。具体的には、図９に示すように、第１吸水口部５は、折り返し５１を内側に折り曲げることにより、スリットが形成される。これにより、第１吸水口部５端部の周方向から吸水することが可能になるので、第１吸水口部５が地面に接したとしてもスリットの隙間から吸水することが可能である。つまり、第２設置力増強部材２２がウォーターフェンス本体部１から、Ｄ（たとえば５ｍｍ程度）出るように取り付けられた場合、第１吸水口部５も同様にウォーターフェンス本体部１からＤ（５ｍｍ程度）出る長さにまで構成することが可能である。また、スリットおよび折り返し５１の隙間から吸水することにより、異物の混入を抑制することができるので、ポンプ３に異物が吸い込まれるのを抑制することが可能である。なお、第１吸水口部５に突起やバースクリーン等を設けるように端面部を凹凸状に構成してもよい。
【００４１】
ここで、第１実施形態では、第２吸水口部６（図２参照）は、ウォーターフェンス本体部１の背面側（Ｙ１方向側）に回り込んだ設置面上の水を吸い取るように構成されている。具体的には、第２吸水口部６は、平面視において（Ｚ方向から見て）、ウォーターフェンス本体部１の背面外側（Ｙ１方向側）の設置面近傍に配置されている。つまり、第２吸水口部６は、設置力増強部材２に囲まれた領域の外に配置されている。また、第２吸水口部５は、吸水装置取付部１１１に接続されている。つまり、第１吸水口部５および第２吸水口部６は、共通の吸水装置取付部１１１（ポンプ３）に接続されている。また、図８に示すように、第２吸水口部６は、第１設置力増強部材２１と、第２設置力増強部材２２との境界近傍の高さ位置に配置されている。また、第１吸水口部５、第２吸水口部６および吸水装置取付部１１１は、第１本体部１１に配置された配管の端部にそれぞれ設けられている。
【００４２】
第２吸水口部６および吸水装置取付部１１１の間には、開閉弁６１が設けられている。開閉弁６１は、第２吸水口部６から吸水される場合に開かれるように構成されている。また、第２吸水口部６には、フィルタ６２が設けられている。フィルタ６２は、第２吸水口部６からの異物の吸込みを抑制するために設けられている。フィルタ６２は、たとえば、第１設置力増強部材２１と同じ材料により形成されている。また、第２吸水口部６には、第１吸水口部５と同様のスリットおよび折り返しが設けられている。
【００４３】
図１０を参照して、設置力増強部材２（第１設置力増強部材２１および第２設置力増強部材２２）の特性の一例について説明する。
【００４４】
図１０に示すように、第１設置力増強部材２１は、たとえば、見掛け密度が１１０ｋｇ／ｍ3であり、引張強さが８０ｋＰａであり、伸びが４５０％である。また、第１設置力増強部材２１は、圧縮硬さが、圧縮率が２５％の場合、３．３ｋＰａであり、圧縮率が５０％の場合、４．５ｋＰａである。第２設置力増強部材２２は、たとえば、見掛け密度が１１０ｋｇ／ｍ3であり、引張強さが１４８０ｋＰａであり、伸びが１２０％である。また、第２設置力増強部材２２は、圧縮硬さが、圧縮率が２５％の場合、２７５ｋＰａであり、圧縮率が５０％の場合、４００ｋＰａである。つまり、第１設置力増強部材２１よりも第２設置力増強部材２２の方が硬い材料により形成されている。
【００４５】
図１１を参照して、第１設置力増強部材２１の特性（水透過）の一例について説明する。
【００４６】
図１１に示すように、水透過について、第１設置力増強部材２１は、圧縮率が６０％の場合、水深１００ｍｍの水頭圧（１００ｍｍＨ2Ｏ＝０．０１ｋｇｆ／ｃｍ2≒０．９８ｋＰａ）に対して、１０分以内に水漏れがあった。また、第１設置力増強部材２１は、圧縮率が７０％の場合、水深１００ｍｍの水頭圧（１００ｍｍＨ2Ｏ＝０．０１ｋｇｆ／ｃｍ2≒０．９８ｋＰａ）に対して、１０分を超えて３０分以内に水漏れがあった。また、第１設置力増強部材２１は、圧縮率が８０％および９０％の場合、水深１００ｍｍの水頭圧（１００ｍｍＨ2Ｏ＝０．０１ｋｇｆ／ｃｍ2≒０．９８ｋＰａ）に対して、３０分間水漏れしなかった。なお、水透過について、１０分以内に水漏れがあった場合、「△」と示し、１０分を超えて３０分以内に水漏れがあった場合、「○」と示し、３０分間水漏れしなかった場合、「◎」と示している。
【００４７】
第１設置力増強部材２１に用いる気孔率５０％〜６０％程度の半連続気泡構造のやわらかいスポンジは、図１１に示す一例のように、圧縮率に応じた透過率となる。また、第１設置力増強部材２１は、５０％以上８０％以下の圧縮率になるように圧縮抑制することにより、半連続気泡構造のスポンジを透過する水量をポンプ３の呼び水として適度な透過水量に抑えることが可能である。また、第１設置力増強部材２１（スポンジ）を透過した水をポンプ３で排水するのでウォーターフェンス本体部１を越えて浸水させないようにすることが可能である。つまり、ポンプ３を駆動させた場合に、第１設置力増強部材２１の圧縮率が５０％以上８０％以下になることが好ましい。
【００４８】
（シートを設置した使用例）
図１２および図１３を参照して、ウォーターフェンス本体部１をシート７により覆った状態の使用例について説明する。
【００４９】
図１２および図１３に示すように、ウォーターフェンス１００は、シート７を備える。シート７は、ウォーターフェンス本体部１を覆うように配置されている。また、シート７は、ウォーターフェンス本体部１の背面側のたとえば、柱１０や壁或いは扉（図示せず）などに取り付けられている。シート７は、水を透過させない素材により形成されている。たとえば、シート７は、ポリ塩化ビニルにより形成されている。
【００５０】
シート７をウォーターフェンス本体部１を覆うように設置することにより、ウォーターフェンス本体部１の背面（Ｙ１方向側）に回り込む水をせき止めながら、ポンプ３により排水を行うことが可能に構成されている。また、シート７をウォーターフェンス本体部１の背面側（Ｙ１方向側）を高く覆うように設置することにより、ウォーターフェンス本体部１の背面に回り込む水をせき止めながら、ポンプ３により排水を行うことが可能に構成されている。
【００５１】
ここで、第１実施形態では、第２吸水口部６は、シート７と設置面との間の水を吸い取るように構成されている。つまり、シート７は、第２吸水口部６が設けられた配管に覆うように配置されている。
【００５２】
シート７の前面側（Ｙ２方向側）は、設置面に対してわずかに離間して配置されている。つまり、シート７に覆われたウォーターフェンス本体部１の前面側（Ｙ２方向側）の設置面近傍における設置力増強部材２は、露出している。これにより、シート７に押し寄せた水を、第１設置力増強部材２１から透過させることができるので、ポンプ３により自吸水を確保しながら排水を行うことが可能である。その結果、ポンプ３を空運転させることなく継続して運転させ続けることができるので、ウォーターフェンス本体部１と設置面との間の空間の真空度を高いまま維持することが可能である。
【００５３】
シート７は、ウォーターフェンス本体部１の柱１０側（建物側）に水溜まり部７ａが形成されるように配置される。具体的には、シート７をウォーターフェンス本体部１に沿うように覆い、柱１０側の設置面と扉を含めた建物側面に沿って配置するとともに、柱１０や壁或いは扉（図示せず）などに沿って上下方向（Ｚ方向）に延びるように配置する。このようにシート７を配置することにより、ウォーターフェンス本体部１を越える急な増水の水位の水が押し寄せたとしても、ウォーターフェンス本体部１を越えた水を水溜まり部７ａで受けることができるので、扉を含めた建物内への浸水をより一層効果的にせき止めることができる。また、水溜まり部７ａに溜まった水により、シート７を設置面と扉を含めた建物側面に対して密着させることが可能である。つまり、シート７は設置面と扉を含めた建物側面に対するフィッティング性に優れるので、凹凸のある地面や扉を含めた建物側面に対しても確実に密着させることが可能である。これにより、シート７を越えて浸水することや、ウォーターフェンス１００の背面への水の回り込みをより一層効果的に防ぐことが可能である。
【００５４】
（第１実施形態の効果）
第１実施形態では、以下のような効果を得ることができる。
【００５５】
第１実施形態では、上記のように、平面視においてウォーターフェンス本体部１の背面外側（Ｙ１方向側）の設置面近傍に配置され、吸水装置取付部１１１に接続された第２吸水口部６を設ける。これにより、ウォーターフェンス本体部１の背面に回り込んだ水を、ウォーターフェンス本体部１の背面側の第１設置力増強部材２１からのみならず、第２吸水口部６からも吸い取って排水することができるので、背面に回り込んだ水を容易に排出することができる。また、第１吸水口部５からウォーターフェンス本体部１の底面１ａと設置面との間の水を吸い取ることができるので、ウォーターフェンス本体部１の底面１ａと設置面との間に負圧を発生させることができる。これにより、ウォーターフェンス本体部１と設置面との間の空間の真空度を上げてウォーターフェンス本体部１の設置性を向上させることができるので、その結果、ウォーターフェンス本体部１が水により押されて変形したり、流されたりすることを効果的に抑制するとともに、浸水を効果的に抑制することができる。これらの結果、浸水を効果的に抑制しつつ、背面に回り込んだ水を容易に排出することができる。
【００５６】
また、第１実施形態では、第１吸水口部５および第２吸水口部６を、共通の吸水装置取付部１１１に接続する。これにより、ウォーターフェンス本体部１の背面側に回り込んだ水を吸い取るポンプと、ウォーターフェンス本体部１の底面１ａと設置面との間の水を吸い取るポンプとを、共通のポンプ３にすることができるので、１つのポンプ３のみで、ウォーターフェンス本体部１の背面側に回り込んだ水と、ウォーターフェンス本体部１の底面１ａおよび設置面の間の水との両方を吸い取ることができる。
【００５７】
また、第１実施形態では、第２吸水口部６および吸水装置取付部１１１の間に、開閉弁６１を設ける。これにより、ウォーターフェンス本体部１の背面に水が回り込んでいない場合に、第２吸水口部６からの吸込みを止めることができるので、第２吸水口部６から空気を吸い込むことを防止することができる。また、第２吸水口部６からの吸込みを止める分、第１吸水口部５からの吸引力を大きくすることができるので、第１吸水口部５から効率よく水を吸い取ることができる。
【００５８】
また、第１実施形態では、第２吸水口部６に、フィルタ６２を設ける。これにより、第２吸水口部６から異物が吸い込まれるのを抑制することができる。
【００５９】
また、第１実施形態では、ウォーターフェンス本体部１を覆うシート７を設け、第２吸水口部６を、シート７と設置面との間の水を吸い取るように構成する。これにより、ウォーターフェンス本体部１の背面に回り込む水をシート７によりせき止めながら、背面に回り込んでシート７の下から侵入した水を第２吸水口部６から吸い取ることができるので、浸水をより効果的に抑制することができる。
【００６０】
また、第１実施形態では、ウォーターフェンス本体部１の底面１ａに配置され、ウォーターフェンス本体部１の設置面への設置性を向上させる設置力増強部材２を設け、第２吸水口部６を、設置力増強部材２に囲まれた領域の外に配置する。これにより、設置力増強部材２により、凹凸のある設置面に対しての設置性や水密性を向上させることができるので、安定してウォーターフェンス１００を設置することができる。その結果、ウォーターフェンス本体部１の下方からの浸水を効果的に抑制することができる。また、設置力増強部材２の背面に水が回り込んだ場合でも、第２吸水口部６から吸い取って容易に排水することができる。
【００６１】
また、第１実施形態では、設置力増強部材２を、設置面側に配置された第１設置力増強部材２１と、第１設置力増強部材２１より硬い材料により形成され、ウォーターフェンス本体部１側に配置された第２設置力増強部材２２とを積層状に構成する。これにより、第１設置力増強部材２１を、点字ブロックなどの設置面の凹凸に沿うように変形させることができるので、ウォーターフェンス１００の設置性および水密性をより向上させることができる。また、第１設置力増強部材２１より硬い第２設置力増強部材２２を設けることにより、点字ブロックなどの設置面の凸部がウォーターフェンス本体部１に直接当たることに起因してウォーターフェンス１００が傾いて設置されるのを抑制することができる。これにより、第１吸水口部５および第２吸水口部６が吸水面から離脱して空気中に配置されるのを抑制することができるので、ポンプ３が空運転するのを効果的に抑制することができる。
【００６２】
［第２実施形態］
次に、図１４および図１５を参照して、本発明の第２実施形態について説明する。この第２実施形態では、ウォーターフェンス本体部に対して第２吸水口部が着脱可能な構成の例について説明する。
【００６３】
ここで、第２実施形態のウォーターフェンス２００では、図１４に示すように、第２吸水口部６ａは、平面視においてウォーターフェンス本体部１の背面外側（Ｙ１方向側）の設置面近傍に配置されている。また、第２吸水口部６ａは、吸水装置取付部１１１に接続されている。また、図１４および図１５に示すように、第２吸水口部６ａは、第１本体部１１（ウォーターフェンス本体部１）に対して着脱可能に構成されている。第２吸水口部６ａは、ホースの一方端に接続されている。ホースの他方端は、開閉弁６１近傍の配管に接続されている。第２吸水口部６ａは、ホースの断面積よりも大きい設置面積を有している。これにより、吸水する面積を大きくすることができるので、効率よく排水することが可能である。また、第２吸水口部６ａをホースの先端に設けることにより、任意の高さ位置に第２吸水口部６ａを設置することが可能である。
【００６４】
なお、第２実施形態のその他の構成は、上記第１実施形態と同様である。
【００６５】
（第２実施形態の効果）
第２実施形態では、以下のような効果を得ることができる。
【００６６】
第２実施形態では、上記第１実施形態と同様に、平面視においてウォーターフェンス本体部１の背面外側（Ｙ１方向側）の設置面近傍に配置され、吸水装置取付部１１１に接続された第２吸水口部６ａを設ける。これにより、浸水を効果的に抑制しつつ、背面に回り込んだ水を容易に排出することができる。
【００６７】
また、第２実施形態では、第２吸水口部６ａを、ウォーターフェンス本体部１に対して着脱可能に構成する。これにより、ウォーターフェンス本体部１の背面に水が回り込んできた場合に、第２吸水口部６ａを取り付けて効率よく排水することができる。
【００６８】
なお、第２実施形態のその他の効果は、上記第１実施形態と同様である。
【００６９】
［第３実施形態］
次に、図１６および図１７を参照して、本発明の第３実施形態について説明する。この第３実施形態では、設置力増強部材（第１設置力増強部材）が、前面側部材および背面側部材を含む構成の例について説明する。
【００７０】
図１６に示すように、第３実施形態のウォーターフェンス３００は、ウォーターフェンス本体部１と、設置力増強部材２ａとを備えている。また、ウォーターフェンス本体部１には、ポンプ３（図１参照）が接続される。なお、ポンプ３は、特許請求の範囲の「吸水装置」の一例である。
【００７１】
ここで、第３実施形態では、第２吸水口部６は、平面視においてウォーターフェンス本体部１の背面外側（Ｙ１方向側）の設置面近傍に配置されている。また、第２吸水口部６は、吸水装置取付部１１１に接続されている。設置力増強部材２ａは、第１設置力増強部材（前面側部材２１ａおよび背面側部材２１ｂ）と、第２設置力増強部材２２（図４参照）とを含んでいる。前面側部材２１ａは、ウォーターフェンス本体部１の前面側（Ｙ２方向側）に配置されている。背面側部材２１ｂは、ウォーターフェンス本体部１の背面側（Ｙ１方向側）に配置されている。また、背面側部材２１ｂは、前面側部材２１ａよりも吸水率が大きい材料により形成されている。
【００７２】
前面側部材２１ａは、たとえば、半連続気泡構造を有しており、圧縮変形されることにより水の透過率が変化するように構成されている。前面側部材２１ａは、たとえば、半連続気泡構造の気孔率５０％〜６０％程度のやわらかいスポンジにより形成されている。また、前面側部材２１ａは、半連続気泡構造のスポンジが圧縮されることによりスポンジの孔が小さくなり、水の透過率が変わるように構成されている。ポンプ３が駆動された場合、半連続気泡構造のスポンジは５０〜８０％程度圧縮されることが望ましい。また、前面側部材２１ａは、第１部材１１よりも柔らかい材料により形成されている。
【００７３】
背面側部材２１ｂは、たとえば、気孔率８０％〜９０％程度のやわらかいスポンジ材により形成されている。また、背面側部材２１ｂは、吸水率が大きい材料により形成されている。たとえば、背面側部材２１ｂは、ＰＶＡ（ポリビニールアルコール）製のスポンジ材により形成されている。
【００７４】
図１７を参照して、第１設置力増強部材（前面側部材２１ａおよび背面側部材２１ｂ）の特性の一例について説明する。
【００７５】
図１７に示すように、前面側部材２１ａは、たとえば、引張強さが８０ｋＰａであり、伸びが４５０％である。また、前面側部材２１ａは、圧縮硬さが、圧縮率が２５％の場合、３．３ｋＰａである。また、前面側部材２１ａは、吸水率（（飽和含水時の質量−乾燥時の質量）／乾燥時の質量×１００）が５．５％である。背面側部材２１ｂは、たとえば、引張強さが４４０ｋＰａであり、伸びが２５０％である。また、背面側部材２１ｂは、圧縮硬さが、圧縮率が２５％の場合、２．９ｋＰａである。つまり、前面側部材２１ａおよび背面側部材２１ｂは、同等の硬さの材料により形成されている。また、背面側部材２１ｂは、吸水率が９５０％である。つまり、背面側部材２１ｂの方が前面側部材２１ａよりも吸水率が大きい材料により形成されている。
【００７６】
前面側部材２１ａの水透過の特性は、図１１に示す第１実施形態における第１設置力増強部材２１と同様である。
【００７７】
なお、第３実施形態のその他の構成は、上記第１実施形態と同様である。
【００７８】
（第３実施形態の効果）
第３実施形態では、以下のような効果を得ることができる。
【００７９】
第３実施形態では、上記第１実施形態と同様に、平面視においてウォーターフェンス本体部１の背面外側（Ｙ１方向側）の設置面近傍に配置され、吸水装置取付部１１１に接続された第２吸水口部６を設ける。これにより、浸水を効果的に抑制しつつ、背面に回り込んだ水を容易に排出することができる。
【００８０】
また、第３実施形態では、設置力増強部材２は、ウォーターフェンス本体部１の前面側（Ｙ２方向側）に配置される前面側部材２１ａと、ウォーターフェンス本体部１の背面側（Ｙ１方向側）に配置され、前面側部材２１ａよりも吸水率が大きい背面側部材２１ｂとを含む。これにより、背面側部材２１ｂがウォータフェンス本体部１の背面側に回り込んだ水を吸水するので、ウォーターフェンス本体部１の背面に回り込んだ水を効率よく取り除くことができる。
【００８１】
なお、第３実施形態のその他の効果は、上記第１実施形態と同様である。
【００８２】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８３】
たとえば、上記第１〜第３実施形態では、第１本体部に配置された１つの配管に第１吸水口部、第２吸水口部および吸水装置取付部が設けられている構成の例を示したが、本発明はこれに限らない。本発明では、図１８の第１変形例に示すウォーターフェンス４００のように、吸水装置取付部１１１部分に連結用の配管を設け、開閉弁６１近傍に第２吸水口部６ａの連結用の配管を別個に設けてもよい。また、第１吸水口部５ａは、第１本体部と一体的に設けてもよい。この場合、第１吸水口部５ａにフィルタ５２を設けてもよい。
【００８４】
また、上記第１〜第３実施形態では、２つの第２本体部が、第１本体部を挟んで離間して配置されている構成の例を示したが、本発明はこれに限らない。本発明では、図１９の第２変形例に示すウォーターフェンス５００のように、ウォーターフェンス本体部５１０は、第１本体部５１１と、２つの第２本体部５１２とを含み、第２本体部５１２を、第１本体部５１１に覆いかぶせるように配置してもよい。この場合、２つの第２本体部５１２は、第１本体部５１１の上方で、隣接して配置され、互いに連結されていてもよい。
【００８５】
また、上記第１〜第３実施形態では、第２本体部を第１本体部を挟んで２つ設ける構成の例を示したが、本発明はこれに限らない。本発明では、図２０の第３変形例に示すウォーターフェンス６００のように、ウォーターフェンス本体部６１０は、第１本体部６１１と、１つの第２本体部６１２とを含み、第２本体部６１２を、第１本体部６１１に覆いかぶせるように配置してもよい。
【００８６】
また、上記第１〜第３実施形態では、第１吸水口部および第２吸水口部が共通の吸水装置取付部に接続されている構成の例を示したが、本発明はこれに限らない。本発明では、第１吸水口部および第２吸水口部を互いに異なる吸水装置取付部に接続してもよい。この場合、第１吸水口部に接続される吸水装置と、第２吸水装置に接続される吸水装置とを別個に設けてもよい。
【００８７】
また、上記第１〜第３実施形態では、設置力増強部材の高さが全体的に同じ高さを有する構成の例を示したが、本発明はこれに限らない。本発明では、設置力増強部材の高さを場所に応じて変化させてもよい。たとえば、前面側の設置力増強部材の高さを高くして、背面側の設置力増強部材の高さを低くしてもよい。これにより、排水のための傾斜がある設置面にウォーターフェンスを設置する場合に、背面側を低くすることができるので、ウォーターフェンス本体部の背面側を柱や壁などに密着させることが可能である。
【００８８】
また、上記第１実施形態では、第２吸水口部がシートと設置面との間の水を吸い取るようにシートを設置する例を示したが、本発明はこれに限らない。本発明では、第２吸水口部がシートの上面の水を吸い取るようにシートを設置してもよい。
【００８９】
また、上記第１〜第３実施形態では、ウォーターフェンスが直線的に形成されている構成の例を示したが、本発明はこれに限らない。本発明では、ウォーターフェンスが折れ曲がるように形成されていてもよい。たとえば、直線状の第２本体部と、折れ曲がる継手部分としての第１本体部とを連結してウォーターフェンスを形成してもよい。
【００９０】
また、上記第１〜第３実施形態では、重り部材としてペットボトルを用いた例を示したが、本発明はこれに限らない。本発明では、ペットボトル以外の部材を重り部材として用いてもよい。たとえば、バーベルや石などを重り部材として用いてもよい。
【００９１】
また、上記第１〜第３実施形態では、設置力増強部材が、第１設置力増強部材および第２設置力増強部材の２層により形成されている例を示したが、本発明はこれに限らない。本発明では、設置力増強部材を１層により形成してもよいし、３層以上により形成してもよい。なお、設置力増強部材を１層により構成する場合、第１設置力増強部材２１を用いることが望ましい。
【００９２】
また、上記第１〜第３実施形態では、吸水装置として自吸式のポンプを用いる例を示したが、本発明はこれに限らない。本発明では、自吸式に限らず、吸水機能を有するポンプであれば特に限定されない。また、真空ポンプや掃除機などの真空吸引方式の吸引装置を用いてもよい。
【００９３】
また、上記第１〜第３実施形態では、ウォーターフェンスのみにより浸水を防ぐ例を示したが、本発明はこれに限らない。本発明では、ウォーターフェンスに加えて、土嚢や水嚢を周辺に配置して、浸水を防いでもよい。これにより、押し寄せる水の量が多い場合でも、ウォーターフェンスの周囲に土嚢や水嚢を設置することによって、ウォーターフェンスの背面に回り込もうとする水をせき止めることが可能である。
【００９４】
また、上記第１〜第３実施形態では、２つの第２本体部を連結部材により係合させて連結する構成の例を示したが、本発明はこれに限らない。本発明では、２つの第２本体部をボルトなどにより締結して連結してもよい。
【００９５】
また、上記第１〜第３実施形態では、第１本体部に突出する凸状の嵌合部を設け、第２本体部に第１本体部の突出する嵌合部が嵌合する凹状の嵌合部を設ける構成の例を示したが、本発明はこれに限らない。本発明では、第１本体部および第２本体部の両方に凸状の嵌合部と凹状の嵌合部とを半分ずつ設けてもよいし、第１本体部に凹状の嵌合部を設けて、第２本体部に凸状の嵌合部を設けてもよい。また、第１本体部および第２本体部に嵌合部を設けなくてもよい。
【００９６】
また、上記第１〜第３実施形態では、第１本体部および第２本体部の底面に嵌合部を設ける構成の例を示したが、本発明はこれに限らない。本発明では、第１本体部および第２本体部の接合面の全周に嵌合部を設けてもよく、このように構成することで、第１本体部および第２本体部のＹ方向およびＺ方向のずれを防ぐだけではなく、Ｘ方向も含めたずれを防ぐことができるように構成することができる。
【符号の説明】
【００９７】
１、５１０、６１０  ウォーターフェンス本体部
２  設置力増強部材
３  ポンプ（吸水装置）
５、５ａ  第１吸水口部
６、６ａ  第２吸水口部
７  シート
２１  第１設置力増強部材
２１ａ  前面側部材
２１ｂ  背面側部材
２２  第２設置力増強部材
６１  開閉弁
６２  フィルタ
１００、２００、３００、４００、５００、５００  ウォーターフェンス
１１１  吸水装置取付部
【図１】
0006576274.tif 000002
【図２】
0006576274.tif 000003
【図３】
0006576274.tif 000004
【図４】
0006576274.tif 000005
【図５】
0006576274.tif 000006
【図６】
0006576274.tif 000007
【図７】
0006576274.tif 000008
【図８】
0006576274.tif 000009
【図９】
0006576274.tif 000010
【図１０】
0006576274.tif 000011
【図１１】
0006576274.tif 000012
【図１２】
0006576274.tif 000013
【図１３】
0006576274.tif 000014
【図１４】
0006576274.tif 000015
【図１５】
0006576274.tif 000016
【図１６】
0006576274.tif 000017
【図１７】
0006576274.tif 000018
【図１８】
0006576274.tif 000019
【図１９】
0006576274.tif 000020
【図２０】
0006576274.tif 000021